(57)【要約】 【課題】非稼動状態においても音声出力を可能とすると共に非稼働状態におけるバッテリ残量に応じた音声出力を制御する。【解決手段】パーソナルコンピュータ１０は、スピーカ１８、外部機器からの音声信号を入力するラインイン端子１９と、入力された音声信号を増幅してスピーカ１８から音声を出力させるスピーカアンプ５４と、電力を蓄積するバッテリ４７と、バッテリ４７からアンプ５４に対して電源供給するための電源回路４６と、非稼働状態にある時にバッテリ４７の残量と予め設定されたバッテリレベルとに基づいて、電源回路４６によるアンプ５４に対する電源供給を制御するＥＣ／ＫＢＣ４５とを有する。【選択図】図２
2011159043.tif 000002
【特許請求の範囲】
【請求項１】
スピーカを有する電子機器において、
外部機器からの音声信号を入力する端子と、
前記端子から入力された音声信号を増幅して前記スピーカから音声を出力させるアンプと、
電力を蓄積するバッテリと、
前記バッテリから前記アンプに対して電源供給するための電源回路と、
前記電子機器が非稼働状態にある時に、前記バッテリの残量と予め設定されたバッテリレベルとに基づいて、前記電源回路による前記アンプに対する電源供給を制御する制御手段と
を具備したことを特徴とする電子機器。
【請求項２】
前記電子機器には第１の非稼働状態と第２の非稼働状態とがあり、
前記制御手段は、前記第１の非稼働状態である場合には、前記バッテリの残量と第１のバッテリレベルとに基づいて電源供給を制御し、前記第２の非稼働状態である場合には、前記バッテリの残量と前記第１のバッテリレベルとは異なる第２のバッテリレベルとに基づいて電源供給を制御することを特徴とする請求項１記載の電子機器。
【請求項３】
前記電子機器の非稼働時に前記スピーカからの音声出力を許可あるいは禁止の何れにするかを示すデータを設定する設定手段とをさらに具備し、
前記制御手段は、前記バッテリの残量、前記バッテリレベル、及び前記データに基づいて、電源供給を制御することを特徴とする請求項１記載の電子機器。
【請求項４】
前記バッテリレベルを設定するバッテリレベル設定手段をさらに具備したことを特徴とする請求項１記載の電子機器。
【請求項５】
前記制御手段は、前記バッテリの残量を通知する出力モジュールを有することを特徴とする請求項１記載の電子機器。
【発明の詳細な説明】
【技術分野】
【０００１】
本発明は、スピーカを有する電子機器に関する。
【背景技術】
【０００２】
従来、外部からの音声信号を入力する端子にプラグの挿抜検知があった場合に、そのプラグの挿抜を有効なトリガーとして各処理を実行可能とするＡＶ装置が知られている（特許文献１）。特許文献１に記載されたＡＶ装置は、視聴のための処理をする処理部と、処理部へ信号を出力する信号出力部と、モバイルオーディオ入力端子を含む複数の第１信号入力部と、モバイルオーディオ入力端子へのプラグの挿抜を検知する第１検知部と、第１検知部の検知結果に応じて、複数の第１信号入力部と信号出力部との接続制御をするための第２制御部とを有している。
【０００３】
従来のＡＶ装置では、例えばモバイルオーディオ端子にプラグが挿入された場合には、モバイルオーディオから入力される音声信号をＡＶ装置の音声出力信号として出力することができる。また、ＡＶ装置は、モバイルオーディオからの音声を出力すると共に、映像信号のための処理を中止する、液晶ディスプレイのバックライトを消す、あるいはバックライトを消すといった各処理をすることができる。
【０００４】
また従来では、バッテリ残量に応じてハンズフリー機能が制御される子機を含む電話装置が知られている（特許文献２）。ハンズフリー機能は、通話状態においてスピーカより出力する音声の音量をパワーアンプにより大幅に増幅させて出力させることができる。特許文献２の子機は、バッテリ残量が所定値より下回ることが検知された場合にはハンズフリー機能の動作を禁止する。これにより、親機からハンズフリー機能の実施命令が送られてきた場合であっても、ハンズフリー機能を動作させないバッテリの消費量を軽減することができる。
【先行技術文献】
【特許文献】
【０００５】
【特許文献１】特開２００７−１０８７６９号公報
【特許文献２】特開２００８−２５８７３０号公報
【発明の概要】
【発明が解決しようとする課題】
【０００６】
しかしながら、従来技術のＡＶ装置（例えばテレビ装置）は、映像や音声を出力可能な通常の稼働状態において、モバイルオーディオ端子にプラグが挿入された場合に、モバイルオーディオからの音声を出力することができるものであって、電源オフされている非稼働状態においてモバイルオーディオからの音声を出力することができなかった。
【０００７】
また、電話装置の子機では、稼働時のバッテリ残量に応じてハンズフリー機能を制御するだけであって、非稼働状態においてバッテリ残量に応じた制御をすることができなかった。
【０００８】
本発明は上述の事情を考慮してなされたものであり、非稼動状態においても音声出力を可能とすると共に非稼働状態におけるバッテリ残量に応じた音声出力を制御することが可能な電子機器を提供することを目的とする。
【課題を解決するための手段】
【０００９】
上述の課題を解決するため、本発明は、スピーカを有する電子機器において、外部機器からの音声信号を入力する端子と、前記端子から入力された音声信号を増幅して前記スピーカから音声を出力させるアンプと、電力を蓄積するバッテリと、前記バッテリから前記アンプに対して電源供給するための電源回路と、前記電子機器が非稼働状態にある時に、前記バッテリの残量と予め設定されたバッテリレベルとに基づいて、前記電源回路による前記アンプに対する電源供給を制御する制御手段とを具備したことを特徴とする。
【発明の効果】
【００１０】
本発明によれば、非稼動状態においても音声出力を可能とすると共に非稼働状態におけるバッテリ残量に応じた音声出力を制御することが可能となる。
【図面の簡単な説明】
【００１１】
【図１】本実施形態における電子機器の構成を示す外観図。
【図２】本実施形態におけるパーソナルコンピュータのシステム構成を示すブロック図。
【図３】本実施形態におけるパーソナルコンピュータの各システムステートにおいて供給される電源を示す図。
【図４】本実施形態におけるシステムステート毎の各モジュールへの電源の供給の有無を示す図。
【図５】本実施形態における音声出力モード選択処理を示すフローチャート。
【図６】本実施形態における音声出力モード選択画面の一例を示す図。
【図７】本実施形態における電源オフ処理を示すフローチャート。
【図８】本実施形態におけるＡＣアダプタ４８の接続の有無に応じて遷移する状態を示す状態遷移図。
【図９】本実施形態におけるシステムステート、バッテリ残量、及びラインイン端子へのプラグの挿入有無に応じて遷移する状態を示す状態遷移図。
【図１０】本実施形態におけるスピーカアンプ５４への電源供給（Ａ電源）のオン／オフ制御を示すフローチャート。
【発明を実施するための形態】
【００１２】
以下、図面を参照して、本発明の実施形態を説明する。  
図１は、本実施形態における電子機器の構成を示す外観図である。この電子機器は、例えば、ノートブック型の携帯型パーソナルコンピュータ１０として実現されている。本実施形態におけるパーソナルコンピュータ１０は、非稼働状態の時に、ラインアウト付き外部機器（例えば、携帯型のオーディオプレーヤ２５）から出力されたアナログ音声信号を入力して、筐体に実装されたスピーカ１８から出力させる音声出力機能（スリープ＆ミュージック機能）を有している。
【００１３】
オーディオプレーヤ２５からの出力を直接スピーカに接続した場合、オーディオプレーヤ２５の出力がスピーカの能力に比べて小さいため、十分な音量の音声を出力することができない。本実施形態におけるパーソナルコンピュータ１０に設けられた音声出力機能は、パーソナルコンピュータ１０が非稼働状態にある場合でも、内蔵された音声信号増幅のためのアンプに電源を供給して、オーディオプレーヤ２５からの音声信号を増幅してスピーカから出力させることができる。
【００１４】
なお、パーソナルコンピュータ１０の非稼働状態とは、例えば電源オフ状態（システムステートＳ５）の他、スタンバイ／スリープ／サスペンド（システムステートＳ３）、ハイバネーション（休止状態）（システムステートＳ４）と称される状態を含むものとする。すなわち、非稼働状態は、プロセッサ（ＣＰＵ３０）が動作していない状態である。なお、電源オン状態は、システムステートＳ０である。
【００１５】
本実施形態におけるパーソナルコンピュータ１０は、ユーザからの要求に基づいて、非稼働状態においてもオーディオプレーヤ２５から出力されたアナログ音声信号に応じた音声をスピーカから出力できるように制御する。ユーザからの音声出力機能に対する要求は、例えば、ユーザからの指示に応じた音声出力機能の有効（Enable）／無効（Disable）の設定、ユーザの操作によって切り替えられるパーソナルコンピュータ１０に備えられた各種センサやスイッチの状態検出などにより判別される。詳細については後述する。
【００１６】
図１は、パーソナルコンピュータ１０のディスプレイユニットを開いた状態における斜視図である。パーソナルコンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１７】
ディスプレイユニット１２は、コンピュータ本体１１に対して開放位置と閉塞位置との間を、ヒンジ機構２１により回動自在に取り付けられている。ヒンジ機構２１には、ディスプレイユニット１２が開放位置（ディスプレイユニット１２がコンピュータ本体１１と密着されていない位置）にあることを検出するためのＬＣＤ開閉センサ５５（図２参照）が収納されている。コンピュータ本体１１は、バッテリが取り外し自在に装着可能な薄い箱形の筐体を有している。
【００１８】
コンピュータ本体１１の上面には、キーボード１３、パワーオン／オフするためのパワーボタンスイッチ１４、汎用ハードウェアボタン１５、タッチパッド１６、スピーカ１８などが配置されている。
【００１９】
スピーカ１８は、コンピュータ本体１１の上面に配置されているため、ディスプレイユニット１２が閉塞位置にあると前面を塞がれてしまう。すなわち、スピーカ１８から本来の音量／音質による音声を出力することができなくなる。ＬＣＤ開閉センサ５５は、スピーカ１８からの音声が十分な音量／音質で外部に出力される程度にスピーカ１８の前面が開放された状態、すなわちディスプレイユニット１２が所定以上開かれた状態を開放位置にあるとして検出する。
【００２０】
コンピュータ本体１１の側面には、オーディオプレーヤ２５から出力されたアナログ音声信号を入力するためのラインイン端子１９（ジャック）、非稼働時に音声出力機能が有効な場合に音量調節するために使用されるボリュームつまみ２０が設けられている。ラインイン端子１９には、オーディオプレーヤ２５のラインアウト端子と接続されたケーブル２６を、プラグ２７により接続することができる。
【００２１】
次に、図２を参照して、本実施形態におけるパーソナルコンピュータ１０のシステム構成について説明する。
【００２２】
パーソナルコンピュータ１０は、図２に示すように、ＣＰＵ３０、ＭＣＨ３１（ノースブリッジ）、メインメモリ３２、表示コントローラ３５、ＩＣＨ４０（サウスブリッジ）、ハードディスクドライブ（ＨＤＤ）４１、ＢＩＯＳ−ＲＯＭ４２、エンベデッドコントローラ／キーボードコントローラＩＣ（ＥＣ／ＫＢＣ）４５、電源回路４６等を備えている。
【００２３】
ＣＰＵ３０は、パーソナルコンピュータ１０の動作を制御するために設けられたプロセッサであり、ＨＤＤ４１からメインメモリ３２にロードされる、オペレーティングシステム（ＯＳ）、各種ハードウェアを制御するドライバ、および各種アプリケーションプログラム等を実行する。さらに、ＣＰＵ３０は、ＢＩＯＳ−ＲＯＭ４２に格納されたシステムＢＩＯＳ（Basic Input Output System）も実行する。システムＢＩＯＳはハードウェア制御のためのプログラムである。
【００２４】
ＭＣＨ３１は、ＣＰＵ３０のローカルバスとＩＣＨ４０との間を接続するブリッジデバイスである。ＭＣＨ３１には、メインメモリ３２をアクセス制御するメモリコントローラも内蔵されている。
【００２５】
表示コントローラ３５は、パーソナルコンピュータ１０のディスプレイモニタとして使用されるＬＣＤ１７を制御する。表示コントローラ３５は、ＭＣＨ３１を介してＣＰＵ３０から送信される描画要求に基づいてビデオメモリ（ＶＲＡＭ）にフレーム群を描画するための表示処理（グラフィクス演算処理）を実行する。
【００２６】
ＩＣＨ４０は、ＨＤＤ４１および光ディスクドライブ（図示せず）を制御するためのＩＤＥ（Integrated Drive Electronics）コントローラやSerial ATAコントローラを内蔵している。
【００２７】
エンベデッドコントローラ／キーボードコントローラＩＣ（ＥＣ／ＫＢＣ）４５は、電力管理のためのエンベデッドコントローラと、キーボード（ＫＢ）１３、タッチパッド１５、及び汎用ハードウェアボタン１８を制御するためのキーボードコントローラとが集積された１チップマイクロコンピュータである。
【００２８】
ＥＣ／ＫＢＣ４５は、ユーザによるパワーボタンスイッチ１４の操作に応じて電源回路４６を制御し、パーソナルコンピュータ１０をパワーオン／パワーオフする機能を有している。パーソナルコンピュータ１０のパワーオン／パワーオフの制御は、ＥＣ／ＫＢＣ４５と電源回路４６との共同動作によって実行される。また、ＥＣ／ＫＢＣ４５は、パーソナルコンピュータ１０が非稼働状態（電源オフ状態）にある場合でも電源供給されるモジュールであり、パーソナルコンピュータ１０が非稼働時に使用される音声出力機能（スリープ＆ミュージック機能）を制御するためのコントローラとして使用される。
【００２９】
ＥＣ／ＫＢＣ４５は、音声出力機能の制御のために、ＬＣＤ開閉センサ５５からのディスプレイユニット１２が閉塞位置にあるか否かを示すオープン／クローズ信号Ｃ４、電源回路４６からのバッテリ４７の残量を示すバッテリレベル信号Ｃ６を受ける。オープン／クローズ信号Ｃ４は、例えば１ビットの信号で、例えば“１”ならばディスプレイユニット１２が開放位置（「ＯＰＥＮ」）にあることを示し、“０”ならばディスプレイユニット１２が閉塞位置（「ＣＬＯＳＥ」）にあることを示す。ＥＣ／ＫＢＣ４５は、オープン／クローズ信号Ｃ４が“０”、すなわちディスプレイユニット１２が閉塞位置にある場合には、音声出力機能を動作させないように制御する。
【００３０】
また、ＥＣ／ＫＢＣ４５は、バッテリレベル信号Ｃ６が示すバッテリ４７の残量とバッテリレベルＬ１，Ｌ２とに応じて音声出力機能を制御する。バッテリレベルＬ１，Ｌ２は、予めＥＣ／ＫＢＣ４５が設定として保持しているものとする。
【００３１】
バッテリレベルＬ２は、システムステートＳ３から復帰（再起動）することが可能なバッテリ４７の残量を判断するためのレベルを示している。本実施形態では、システムステートＳ３（非稼働状態）において音声出力機能を用いるが、バッテリ残量がシステムステートＳ３から復帰することができるバッテリレベルＬ２を下回る前に音声出力機能を停止させる。ＥＣ／ＫＢＣ４５は、音声出力機能を機能させている時にバッテリ残量がバッテリレベルＬ２以下になると、スピーカアンプ５４とアナログスイッチ５３に対する電源供給を停止させる。なお、システムステートＳ３において音声出力機能を機能させていない場合に、そのままバッテリ残量が減っていくと、システムステートを管理するオペレーティングシステムの機能により自動的にシステムステートＳ４へ移行する。
【００３２】
バッテリレベルＬ１は、過放電を起こさずに済むバッテリ残量を判断するためのバッテリレベルを示している。バッテリ４７は、過放電した状態で時間が経過すると内部の化学物質が結晶化して充電を妨げて劣化してしまう。このため、バッテリ４７の劣化を回避するために、一定以上のバッテリ残量が必要となる。ＥＣ／ＫＢＣ４５は、システムステートＳ４，Ｓ５のときに、バッテリ４７のバッテリ残量がバッテリレベルＬ１以下になると、スピーカアンプ５４とアナログスイッチ５３に対する電源供給を停止させる。なお、通常、バッテリレベルＬ１とバッテリレベルＬ２の関係は、Ｌ１＜Ｌ２の関係となる。
【００３３】
なお、ＥＣ／ＫＢＣ４５の他に電源オフ状態において動作可能なコントローラが実装されていれば、このコントローラによって音声出力機能を制御するようにしても良い。
【００３４】
電源回路４６は、コンピュータ本体１１に装着されたバッテリ４７、またはＡＣアダプタ４８を介して接続された外部電源から電源供給を受けて、各コンポーネントへの動作電源を生成して供給する。電源回路４６には、電源マイコンが設けられている。電源マイコンは、各コンポーネントとバッテリに対する電源供給（充放電）や、バッテリの充電状態を監視する。
【００３５】
電源回路４６は、パーソナルコンピュータ１０のシステムステートに応じて、ＥＣ／ＫＢＣ４５の制御によって各モジュールへの電源供給を切り替える。電源回路４６は、パーソナルコンピュータ１０のシステムステートに応じたＥＣ／ＫＢＣ４５の制御によって、Ｓ電源、Ｂ電源、Ａ電源、Ｐ電源のそれぞれの電源系について供給をオン／オフすることができる。
【００３６】
Ｓ電源は、システムが電源オフされた状態においても常に供給される電源であり、ＥＣ／ＫＢＣ４５に供給される。
【００３７】
Ｂ電源は、スタンバイ状態においてメインメモリ３２に記録されたデータをバックアップするために供給される電源である。
【００３８】
Ａ電源は、パーソナルコンピュータ１０が非稼働状態にある時に音声出力機能を有効にするための電源であり、アナログ音声信号を処理するアナログスイッチ５３及びスピーカアンプ５４に供給される電源である。
【００３９】
Ｐ電源は、パーソナルコンピュータ１０が電源オン状態にある場合に供給される電源である。
【００４０】
図３は、パーソナルコンピュータ１０の各システムステート（Ｓ０，Ｓ３，Ｓ４，Ｓ５）において供給される電源を示す図である。  
図３に示すように、パーソナルコンピュータ１０が電源オン（Ｓ０）の状態（稼働状態）にある場合には、電源回路４６は、Ｓ電源、Ｂ電源、Ｐ電源、Ａ電源の全ての供給をオンする。
【００４１】
また、パーソナルコンピュータ１０がスタンバイ状態（Ｓ３）（あるいはスリープ／サスペンドの状態）にある場合には、Ｓ電源、Ｂ電源の供給をオンする。さらに、本実施形態のパーソナルコンピュータ１０では、スタンバイ状態において音声出力機能を使用するため、ケーブル２６（オーディオプレーヤ２５）を接続するためのプラグ２７がラインイン端子１９に挿入され、かつバッテリ４７の残量が予め設定されたバッテリレベルＬ２以上である場合には、さらにＡ電源の供給をオンして、音声出力機能で動作させるアナログスイッチ５３及びスピーカアンプ５４に対して電源供給する。
【００４２】
また、パーソナルコンピュータ１０が電源オフの状態（Ｓ５）、及びメインメモリ３２へのバックアップが不要なハイバネーション（休止状態）（Ｓ４）の状態にある場合には、Ｓ電源の供給のみをオンする。さらに、本実施形態のパーソナルコンピュータ１０では、電源オフ状態において音声出力機能を使用するため、ケーブル２６（オーディオプレーヤ２５）を接続するためのプラグ２７がラインイン端子１９に挿入され、かつバッテリ４７の残量が予め設定されたバッテリレベルＬ１以上である場合には、さらにＡ電源の供給をオンして、音声出力機能で動作させるアナログスイッチ５３及びスピーカアンプ５４に対して電源供給する。
【００４３】
ＥＣ／ＫＢＣ４５にはＳ電源が供給されるため、何れのシステムステートにおいても電源供給がオンされ、非稼働時における音声出力機能の制御が可能である。
【００４４】
なお、ＡＣアダプタ４８が接続されている場合には、バッテリ４７の消費よりもＡＣアダプタ４８からの電力供給が上回るため、バッテリ４７の残量に関係無く音声出力機能を動作させることができる。このため、プラグ２７がラインイン端子１９に挿入されている場合には、何れのシステムステートにおいてもＡ電源を供給する。
【００４５】
図４には、システムステート毎の各モジュールへの電源の供給の有無を示している。  
システムステートＳ３では、非稼働状態に移行する直前の作業状態を揮発性の記憶領域であるメモリ上に記憶させ、メモリを除く他のモジュールへの電源供給を停止させる。この状態でメモリへの電源供給（Ｂ電源）まで停止してしまうと、メモリ上へ保存した直前までの作業データが全て消えてしまう。
【００４６】
システムステートＳ４では、非稼働状態に移行する直前の作業状態をメモリではなく不揮発性の記憶領域であるＨＤＤ４１へ記憶させてから、各モジュールへの電源供給をオフする。次に、電源を入れた時は、ＨＤＤ４１に記憶させたデータをもとに、ユーザが直前まで作業していた状態に戻すために、プログラムを起動する手間などを省ける。
【００４７】
システムステートＳ５では、全ての作業を終了して、各モジュールに対して完全に電源の供給をオフする。
【００４８】
なお、システムステートＳ３で、非稼動状態に移行する直前の作業状態を揮発性の記憶領域であるメモリ上に記憶させると同時に、不揮発性の記憶領域であるＨＤＤ４１へも記憶させてから、メモリを除く他のモジュールへの電源供給を停止させるようにしても良い。そして、ユーザが直前まで作業していた状態に戻す際は、基本的にはメモリからデータ復帰を行い、メモリに保持していたデータが消えてしまった場合にはＨＤＤ４１からデータ復帰を行うようにしても良い。
【００４９】
本実施形態におけるパーソナルコンピュータ１０では、システムステートＳ３において音声出力機能を動作させる場合、システムステートＳ３から再起動できるだけのバッテリ残量を確保するために、バッテリ残量がバッテリレベルＬ２を下回ると音声出力機能を停止させる。
【００５０】
サウンドコントローラ５０（オーディオコーデック）は、ＩＣＨ４０を通じて入力されるデジタルオーディオデータをアナログ音声信号に変換すると共に、ＯＳやデバイスドライバ、音声再生プログラム等の制御による音量あるいは音質（音響効果）等の調整をしてアナログスイッチ５３に出力する。また、サウンドコントローラ５０は、パーソナルコンピュータ１０が稼働時にある場合には、同様にして、ラインイン端子１９を介して入力されたオーディオプレーヤ２５からのアナログ音声信号の音量調整をしてアナログスイッチ５３に出力する。
【００５１】
アナログスイッチ５３は、ＥＣ／ＫＢＣ４５からのセレクト信号Ｃ２に応じて、サウンドコントローラ５０側あるいはラインイン端子１９側の何れかの経路に切り替える。アナログスイッチ５３は、ＥＣ／ＫＢＣ４５の制御により、パーソナルコンピュータ１０が稼働時には、サウンドコントローラ５０側に切り替えられ、非稼働時に音声出力機能が有効である場合に、サウンドコントローラ５０をバイパスするラインイン端子１９側に切り替えられる。
【００５２】
スピーカアンプ５４は、アナログスイッチ５３を介して入力されるアナログ音声信号を増幅し、スピーカ１８から音声信号に応じた音声を出力させる。スピーカアンプ５４は、ＥＣ／ＫＢＣ４５からのミュート信号Ｃ３に応じて、音声のミュート／ミュート解除を切り替えることができる。
【００５３】
なお、ラインイン端子１９には、スイッチ５２（あるいはセンサ）が内蔵されている。スイッチ５２は、ラインイン端子１９にケーブル２６を接続するためのプラグ２７の挿入によってオン／オフが切り替えられ、オン／オフの状態に応じたステータス信号Ｃ１をＥＣ／ＫＢＣ４５に出力する。
【００５４】
次に、本実施形態におけるパーソナルコンピュータ１０の動作について説明する。  
図５は、本実施形態における音声出力モード選択処理を示すフローチャートである。音声出力モード選択処理は、パーソナルコンピュータ１０が非稼働時に、音声出力機能による音声出力を許可するか、あるいは禁止にするかを、ユーザからの指示に応じて選択するための処理である。
【００５５】
本実施形態における音声出力モード選択処理は、例えばＢＩＯＳセットアップ、あるいはハードウェアセットアップの処理内で実行できる。例えば、ＢＩＯＳセットアップは、電源オン時に所定のキー操作をすることにより起動させて、実行することができる。また、ハードウェアセットアップは、ハードウェアセットアップ用のユーティリティプログラム（あるいはアプリケーションプログラム）を起動させて、実行することができる。本実施形態では、何れによって音声出力モード選択処理を実行しても良い。
【００５６】
音声出力モード選択処理の実行が指示されると、ＣＰＵ３０は、音声出力モード選択画面をＬＣＤ１７において表示させる（ステップＡ１）。
【００５７】
図６には、音声出力モード選択画面の一例を示している。音声出力モード選択画面では、音声出力モードを「許可」（Enable）あるいは「禁止」（Disable）の何れかに指定することができる。
【００５８】
ＣＰＵ３０は、例えばユーザによるキーボード１３の操作によって「許可」あるいは「禁止」の何れかを選択する指示が入力され（ステップＡ２）、確定が指示されると（ステップＡ３、Ｙｅｓ）、音声出力モードを示すデータ、すなわち「許可」あるいは「禁止」を示すデータを不揮発性メモリに記録する（ステップＡ４）。不揮発性メモリに記録される音声出力モードを示すデータは、ＢＩＯＳセットアップあるいはハードウェアセットアップの何れによって実行された場合も共通して交信されるものとする。
【００５９】
なお、音声出力モードを示すデータを記録する不揮発性メモリとして、例えばＢＩＯＳ−ＲＯＭ４２とする他、後述する電源オフ処理において読み取ることができれば他の記憶媒体とすることもできる。
【００６０】
図７は、本実施形態における電源オフ処理を示すフローチャートである。  
ＣＰＵ３０は、ユーザからの指示、あるいはプログラムからの要求に応じて、電源オフが要求された場合に電源オフ処理を開始する。なお、ここでの電源オフは、パーソナルコンピュータ１０を非稼働状態にすることを示すもので、完全に電源オフ（Ｓ０）する場合だけでなく、スタンバイ／スリープ／サスペンド（Ｓ３）、ハイバネーション（休止状態）（Ｓ４）と称される状態にする場合も含むものとする。
【００６１】
ＣＰＵ３０は、音声出力モード選択処理によって音声出力モードを示すデータを不揮発性メモリ（例えばＢＩＯＳ−ＲＯＭ４２）から読み取る（ステップＢ１）。
【００６２】
音声出力モードを示すデータが音声出力の「禁止」を示す場合（ステップＢ２、Ｎｏ）、ＣＰＵ３０は、ＥＣ／ＫＢＣ４５に対して、非稼動時の音声出力を禁止に設定する（ステップＢ４）。すなわち、ＥＣ／ＫＢＣ４５の所定のフラグレジスタに音声出力モード「禁止」（Disable）を示すデータをコピーする。
【００６３】
一方、音声出力モードを示すデータが音声出力の「許可」を示す場合（ステップＢ２、Ｙｅｓ）、ＣＰＵ３０は、ＥＣ／ＫＢＣ４５に対して、非稼動時の音声出力を許可に設定する（ステップＢ３）。すなわち、ＥＣ／ＫＢＣ４５の所定のフラグレジスタに音声出力モード「許可」（Enable）を示すデータをコピーする。  
その後、パーソナルコンピュータ１０を電源オフ（非稼働状態）する（ステップＢ５）。
【００６４】
次に、本実施形態におけるパーソナルコンピュータ１０の非稼働状態における状態遷移について、図８及び図９を参照しながら説明する。  
図８は、ＡＣアダプタ４８の接続の有無に応じて遷移する状態を示す状態遷移図である。
【００６５】
ＥＣ／ＫＢＣ４５は、非稼働状態の移行時に音声出力モード（音声出力機能）が「許可」（Enable）に設定され、かつＡＣアダプタ４８が接続されて外部から電源供給されている場合には、バッテリ４７の残量に関係無く、音声出力機能を動作させる（状態Ｍ０）。すなわち、ＥＣ／ＫＢＣ４５は、電源回路４６に対して、スピーカアンプ５４とアナログスイッチ５３に対する電源供給（Ａ電源）をオンさせる。ＡＣアダプタ４８が接続された状態Ｍ０では、システムステートＳ３，Ｓ４，Ｓ５の何れの場合においても、ラインイン端子１９にプラグ２７が接続されていれば、音声出力機能による音声の出力が可能である。
【００６６】
ＡＣアダプタ４８が外されて、バッテリ４７から電源供給する状態となった場合には（Ｍ０１）、状態Ｍ１に移行する。ＡＣアダプタ４８が外され、ラインイン端子１９にプラグ２７が接続された状態Ｍ１からは、更に図９に示すように状態が遷移する。
【００６７】
状態Ｍ１においてＡＣアダプタ４８が接続された場合には（Ｍ１０）、状態Ｍ０に移行する。
【００６８】
図９は、システムステート、バッテリ残量、及びラインイン端子１９へのプラグ２７の挿入有無に応じて遷移する状態を示す状態遷移図である。  
スピーカアンプ５４への電源供給がオフの状態（状態Ｎ０）とは、音声出力モード（音声出力機能）が「禁止」（Disable）に設定されている場合の他に、ラインイン端子１９にプラグ２７が挿入されていない場合、またはバッテリ４７の残量が不足している場合の３種類がある。バッテリ４７の残量が不足している場合としては、第１に、音声出力モード（音声出力機能）が「許可」（Enable）に設定され、かつシステムステートＳ４，Ｓ５において、バッテリ４７の残量がバッテリレベルＬ１より低い状態と、第２に、音声出力モード（音声出力機能）が「許可」（Enable）に設定され、かつシステムステートＳ３において、バッテリ４７の残量がバッテリレベルＬ２より低い状態がある。
【００６９】
すなわち、システムステートＳ４，Ｓ５において音声出力機能を利用することにより、バッテリ４７の残量がバッテリレベルＬ１より低くなると、バッテリ４７の劣化を防ぐために、スピーカアンプ５４への電源供給（Ａ電源）をオフして、音声出力機能を停止させる。また、システムステートＳ３において音声出力機能を利用することにより、バッテリ４７の残量がバッテリレベルＬ２より低くなると、システムステートＳ３からの再起動が可能なバッテリ残量を確保するために、スピーカアンプ５４への電源供給（Ａ電源）をオフして、音声出力機能を停止させる。
【００７０】
次に、スピーカアンプ５４への電源供給がオンでシステムステートＳ３の状態（状態Ｎ３）とは、音声出力モードが許可（Enable）に設定され、システムステートがＳ３であり、ラインイン端子１９にプラグ２７が挿入されており、かつバッテリ残量がバッテリレベルＬ２以上での状態である。
【００７１】
ＥＣ／ＫＢＣ４５は、音声出力モードが許可（Enable）に設定されており、システムステートＳ３の状態でバッテリ残量がバッテリレベルＬ２以上である状態において、ラインイン端子１９にプラグ２７が挿入されていなければスピーカアンプ５４への電源供給をオフさせている（状態Ｎ０）。ここで、ＥＣ／ＫＢＣ４５は、ラインイン端子１９にプラグ２７が挿入されたことをステータス信号Ｃ１により検知すると（Ｎ０３）、スピーカアンプ５４への電源供給をオンする（状態Ｎ３に移行する）。
【００７２】
また、ＥＣ／ＫＢＣ４５は、状態Ｎ３において、ラインイン端子１９からプラグ２７が抜かれたことをステータス信号Ｃ１により検知すると（Ｎ３０）、スピーカアンプ５４への電源供給をオフする（状態Ｎ０に移行する）。
【００７３】
次に、スピーカアンプ５４への電源供給がオンでシステムステートＳ４の状態（状態Ｎ４）とは、音声出力モードが許可（Enable）に設定され、システムステートがＳ４であり、ラインイン端子１９にプラグ２７が挿入されており、かつバッテリ残量がバッテリレベルＬ１以上の状態である。
【００７４】
ＥＣ／ＫＢＣ４５は、音声出力モードが許可（Enable）に設定されており、システムステートＳ４の状態でバッテリ残量がバッテリレベルＬ１以上である状態において、ラインイン端子１９にプラグ２７が挿入されていなければ、スピーカアンプ５４への電源供給をオフさせている（状態Ｎ０）。ここで、ＥＣ／ＫＢＣ４５は、ラインイン端子１９にプラグ２７が挿入されたことをステータス信号Ｃ１により検知すると（Ｎ０４）、スピーカアンプ５４への電源供給をオンする（状態Ｎ４に移行する）。
【００７５】
また、ＥＣ／ＫＢＣ４５は、状態Ｎ４において、ラインイン端子１９からプラグ２７が抜かれたことをステータス信号Ｃ１により検知すると（Ｎ４０）、スピーカアンプ５４への電源供給をオフする（状態Ｎ０に移行する）。あるいは、ＥＣ／ＫＢＣ４５は、状態Ｎ４において、バッテリ４７の残量がバッテリレベルよりＬ１より少ないことがバッテリレベル信号Ｃ６により検知すると（Ｎ４０）、スピーカアンプ５４への電源供給をオフする（状態Ｎ０に移行する）。
【００７６】
次に、スピーカアンプ５４への電源供給がオンでシステムステートＳ５の状態（状態Ｎ５）とは、音声出力モードが許可（Enable）に設定され、システムステートがＳ５であり、ラインイン端子１９にプラグ２７が挿入されており、かつバッテリ残量がバッテリレベルＬ１以上の状態である。
【００７７】
ＥＣ／ＫＢＣ４５は、音声出力モードが許可（Enable）に設定されており、システムステートＳ５の状態でバッテリ残量がバッテリレベルＬ１以上である状態において、ラインイン端子１９にプラグ２７が挿入されていなければ、スピーカアンプ５４への電源供給をオフさせている（状態Ｎ０）。ここで、ＥＣ／ＫＢＣ４５は、ラインイン端子１９にプラグ２７が挿入されたことをステータス信号Ｃ１により検知すると（Ｎ０５）、スピーカアンプ５４への電源供給をオンする（状態Ｎ５に移行する）。
【００７８】
また、ＥＣ／ＫＢＣ４５は、状態Ｎ５において、ラインイン端子１９からプラグ２７が抜かれたことをステータス信号Ｃ１により検知すると（Ｎ５０）、スピーカアンプ５４への電源供給をオフする（状態Ｎ０に移行する）。あるいは、ＥＣ／ＫＢＣ４５は、状態５４において、バッテリ４７の残量がバッテリレベルよりＬ１より少ないことがバッテリレベル信号Ｃ６により検知すると（Ｎ５０）、スピーカアンプ５４への電源供給をオフする（状態Ｎ０に移行する）。
【００７９】
このようにして、本実施形態におけるパーソナルコンピュータ１０では、音声出力モードが許可（Enable）に設定されている場合に、システムステート、ＡＣアダプタ４８の接続の有無、プラグ２７の挿入の有無をＥＣ／ＫＢＣ４５により判別し、この判別結果に応じて電源回路４６からのスピーカアンプ５４に対する電源供給（Ａ電源）のオン／オフを切り替えて、音声出力機能を制御することができる。さらに、本実施形態では、システムステートに応じたバッテリレベルＬ１，Ｌ２が予め設定されており、バッテリ４７の残量に応じた音声出力機能を制御することができる。従って、システムステートＳ３において音声出力機能を利用している場合に、バッテリ４７の残量がバッテリレベルＬ２より少なくなると、システムステートＳ３からの復帰が可能なバッテリ残量を確保するように音声出力機能を停止させることができる。また、システムステートＳ４，Ｓ５において音声出力機能を利用している場合に、バッテリ４７の残量がバッテリレベルＬ１より少なくなると、バッテリ４７が劣化しない程度のバッテリ残量を残して音声出力機能を停止させることができる。
【００８０】
次に、非稼働状態におけるＥＣ／ＫＢＣ４５のスピーカアンプ５４への電源供給（Ａ電源）のオン／オフ制御の詳細について、図１０のフローチャートを参照しながら説明する。  
ＥＣ／ＫＢＣ４５は、電源モード（Ａ電源）をオンする場合（ステップＥ１、Ｙｅｓ）、ミュート信号Ｃ３によりスピーカアンプ５４をミュート状態にしておく（ステップＥ２）。すなわち、スピーカアンプ５４への電源投入時やアナログスイッチ５３の切り替え時にノイズが発生するため、スピーカアンプ５４によりスピーカ１８から音が出力されないようにしておく。
【００８１】
スピーカアンプ５４をミュート状態にした後、ＥＣ／ＫＢＣ４５は、電源回路４６に対してＡ電源の供給をオンさせる（ステップＥ３）。すなわち、パーソナルコンピュータ１０を非稼働状態にしたままで、音声出力機能に関係するスピーカアンプ５４とアナログスイッチ５３に対してのみＡ電源を供給する。
【００８２】
サウンドコントローラ５０は、プログラムによって制御されるため、システムステートＳ３，Ｓ４，Ｓ５では動作しない。このため、ＥＣ／ＫＢＣ４５は、セレクト信号Ｃ２によりアナログスイッチ５３を制御して、ラインイン端子１９から入力されたアナログ音声信号がサウンドコントローラ５０をバイパスしてスピーカアンプ５４へ伝わるように経路を切り替える（ステップＥ４）。
【００８３】
ＥＣ／ＫＢＣ４５は、アナログスイッチ５３の切り替えが終わった後に、ミュート信号Ｃ３により、スピーカアンプ５４のミュート状態を解除する（ステップＥ５）。
【００８４】
音声出力機能が有効（電源モードオン）にされると、ラインイン端子１９に接続されたオーディオプレーヤ２５において例えば音楽が再生されると、この音楽のアナログ音声信号がラインイン端子１９を通じてスピーカアンプ５４に入力される。スピーカアンプ５４は、電源回路４６によりＡ電源が供給されているため、アナログ音声信号を増幅して、スピーカ１８から音楽が出力させることができる。この時、パーソナルコンピュータ１０は、音声出力機能に関係しないモジュールに対しては電源供給されていない。このため、パーソナルコンピュータ１０の消費電力は、電源オン状態にある場合よりも大幅に少なくすることができる。
【００８５】
ＥＣ／ＫＢＣ４５は、電源モード（Ａ電源）をオフする場合（ステップＥ６、Ｙｅｓ）、ミュート信号Ｃ３によりスピーカアンプ５４をミュート状態にしておく（ステップＥ７）。
【００８６】
スピーカアンプ５４をミュート状態にした後、ＥＣ／ＫＢＣ４５は、セレクト信号Ｃ２によりアナログスイッチ５３を制御して、サウンドコントローラ５０側に切り替えて、ラインイン端子１９から入力されたアナログ音声信号がサウンドコントローラ５０を介してスピーカアンプ５４へ伝わるように経路を切り替える（ステップＥ８）。
【００８７】
その後、ＥＣ／ＫＢＣ４５は、電源回路４６に対してＡ電源の供給をオフさせて（ステップＥ９）、電源モードをオフ状態へ移行させる。
【００８８】
すなわち、電源オフ（Ｓ５）あるいはハイバネーション（Ｓ４）の場合にはＳ電源のみを供給をオンし、スタンバイモード（Ｓ３）の場合にはＢ電源とＳ電源の供給をオンさせる。すなわち、アナログスイッチ５３とスピーカアンプ５４に対するＡ電源の供給をオフする。
【００８９】
ＥＣ／ＫＢＣ４５は、電源供給の切り替えが完了した後、ミュート信号Ｃ３により、スピーカアンプ５４のミュート状態を解除する（ステップＥ１０）。
【００９０】
こうして、本実施形態におけるパーソナルコンピュータ１０では、電源オフやスタンバイモード等の非稼働状態（システムステートＳ３，Ｓ４，Ｓ５）において、音声出力機能がオン／オフされる場合には、スピーカアンプ５４に対する電源供給（Ａ電源）のオン／オフ、及びアナログスイッチ５３の切り替えが制御される。
【００９１】
なお、前述した説明では、予めバッテリレベルＬ１、Ｌ２がＥＣ／ＫＢＣ４５に設定されているものとしているが、ユーザからの指示により、バッテリレベルＬ１、Ｌ２を変更できるようにしても良い。通常、同じ種類のバッテリでも個体差があるため、異なるバッテリ４７を使用する際に、例えばバッテリレベルＬ１を同じ「バッテリ残量５％」として設定したとしても、バッテリレベルＬ１に到達するまでの時間が異なる可能性があるからである。また、同一のバッテリ４７であっても購入したばかりの時と数年使用した後では、バッテリ４７の性能が変化しているため、同様にしてバッテリレベルＬ１，Ｌ２に到達するまでの時間が異なる。従って、例えばバッテリ４７の性能が良い状態の場合は、バッテリレベルＬ１をデフォルトの「バッテリ残量５％」よりもさらに低い「バッテリ残量3％」に設定することで、バッテリ４７を劣化させない程度でより長い時間で音声出力機能を利用することができる。こうして、ユーザからの指示により、バッテリレベルＬ１、Ｌ２を変更できるようにすることで、音声出力機能を利用するユーザのニーズにきめ細やかに対応できるようになる。
【００９２】
また、バッテリレベルＬ１，Ｌ２をユーザによって設定できるようにするだけでなく、バッテリレベルＬ１，Ｌ２をもとに判別されたバッテリ４７の状態に応じた制御内容を設定できるようにしてもよい。
【００９３】
前述したユーザによるバッテリレベルや制御内容の設定については、例えば音声出力モード選択処理と同様にして、ＢＩＯＳセットアップ、あるいはハードウェアセットアップの処理内で実行できるようにする。
【００９４】
また、非稼働時に音声出力機能によって音声を出力されている間に、バッテリ４７の残量をユーザに通知できる出力モジュールを設けても良い。例えば、出力モジュールとしてＬＥＤ（Light Emitting Diode）６０を実装する。ＥＣ／ＫＢＣ４５は、電源回路４６からのバッテリレベル信号Ｃ６が示すバッテリ４７の残量に応じて、ＬＥＤの色や点滅速度を変化させる。ＥＣ／ＫＢＣ４５は、パーソナルコンピュータ１０が非稼働状態にあっても動作可能である。このため、パーソナルコンピュータ１０が起動（電源オン）されなくても、音声出力機能を利用可能なおおよその時間をユーザに通知することができる。なお、ＬＥＤ以外の出力モジュールを実装することも可能である。
【００９５】
また、前述した説明では、ラインイン端子１９（ジャック）にプラグ２７が挿入されたことをスイッチ５２により検出しているが、ラインイン端子１９から入力された音声信号Ｃ７の音量レベルをもとにして検出するようにしても良い。すなわち、オーディオプレーヤ２５において音楽等が再生されて、スピーカ１８から出力すべき音声（音楽）が存在することを検出して、前述したプラグ２７の挿入を検出する場合と同様の制御を行う。これにより、単にプラグ２７がラインイン端子１９に挿入されただけで、スピーカ１８から出力すべき音声がない場合に、スピーカアンプ５４とアナログスイッチ５３に対して不要な電源供給（Ａ電源）がされなくなるので、省電力化を図ることができる。
【００９６】
また、前述した説明では、ラインイン端子１９を音声信号入力用として説明しているが、マイク接続用と兼用しても良い。この場合、サウンドコントローラ５０を介してマイク用の電源をラインイン端子１９に供給するものとする。サウンドコントローラ５０に対しては、電源オフまたはスタンバイモードにおいてはＰ電源の供給がオフされるため、ラインイン端子１９に対してマイク用の電源は供給されない。
【００９７】
また、ラインイン端子１９に内蔵されたスイッチ５２に代えて、独立したスイッチを設けて、ユーザの手動動作によってオン／オフを切り替えられるようにしても良い。このスイッチのオン／オフに応じたステータス信号Ｓ１がＥＣ／ＫＢＣ４５に入力される。ユーザは、オーディオプレーヤ２５をパーソナルコンピュータ１０に接続して使用する場合に、このスイッチをオンに切り替えることで、音声出力機能を有効にすることを要求できる。
【００９８】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００９９】
１０…パーソナルコンピュータ、１１…コンピュータ本体、１７…ＬＣＤ、１８…スピーカ、１９…ラインイン端子、３０…ＣＰＵ、３２…メインメモリ、４２…ＢＩＯＳ−ＲＯＭ、４５…ＥＣ／ＫＢＣ、４６…電源回路、５２…スイッチ、５３…アナログスイッチ、５４…スピーカアンプ。
【図１】
2011159043.tif 000003
【図２】
2011159043.tif 000004
【図３】
2011159043.tif 000005
【図４】
2011159043.tif 000006
【図５】
2011159043.tif 000007
【図６】
2011159043.tif 000008
【図７】
2011159043.tif 000009
【図８】
2011159043.tif 000010
【図９】
2011159043.tif 000011
【図１０】
2011159043.tif 000012
【手続補正書】
【提出日】平成23年3月2日(2011.3.2)
【手続補正２】
【補正対象書類名】明細書
【補正対象項目名】０００１
【補正方法】変更
【補正の内容】
【０００１】
本発明は、スピーカを有する電子機器、及び音声信号増幅方法に関する。
【手続補正３】
【補正対象書類名】明細書
【補正対象項目名】０００３
【補正方法】変更
【補正の内容】
【０００３】
従来のＡＶ装置では、例えばモバイルオーディオ端子にプラグが挿入された場合には、モバイルオーディオから入力される音声信号をＡＶ装置の音声出力信号として出力することができる。また、ＡＶ装置は、モバイルオーディオからの音声を出力すると共に、映像信号のための処理を中止する、あるいは液晶ディスプレイのバックライトを消すといった各処理をすることができる。
【手続補正４】
【補正対象書類名】明細書
【補正対象項目名】０００８
【補正方法】変更
【補正の内容】
【０００８】
本発明は上述の事情を考慮してなされたものであり、非稼動状態においても音声出力を可能とすると共に非稼働状態におけるバッテリ残量に応じた音声出力を制御することが可能な電子機器、及び音声信号増幅方法を提供することを目的とする。
【手続補正５】
【補正対象書類名】明細書
【補正対象項目名】０００９
【補正方法】変更
【補正の内容】
【０００９】
上述の課題を解決するため、本発明は、電子機器において、スピーカと、外部機器からの音声信号を受信する端子と、前記端子から受信された音声信号を増幅し、増幅された音声信号を前記スピーカに出力するアンプと、バッテリと、前記バッテリから前記アンプに対して電源供給するための電源回路と、前記電子機器が非稼働状態にある時に、前記バッテリの残量と予め設定されたバッテリレベルとに基づいて、前記アンプに対して電源供給するように前記電源回路を制御するコントローラとを具備したことを特徴とする。
【手続補正６】
【補正対象書類名】明細書
【補正対象項目名】００５８
【補正方法】変更
【補正の内容】
【００５８】
ＣＰＵ３０は、例えばユーザによるキーボード１３の操作によって「許可」あるいは「禁止」の何れかを選択する指示が入力され（ステップＡ２）、確定が指示されると（ステップＡ３、Ｙｅｓ）、音声出力モードを示すデータ、すなわち「許可」あるいは「禁止」を示すデータを不揮発性メモリに記録する（ステップＡ４）。不揮発性メモリに記録される音声出力モードを示すデータは、ＢＩＯＳセットアップあるいはハードウェアセットアップの何れによって実行された場合も共通して更新されるものとする。
【手続補正７】
【補正対象書類名】明細書
【補正対象項目名】００７５
【補正方法】変更
【補正の内容】
【００７５】
また、ＥＣ／ＫＢＣ４５は、状態Ｎ４において、ラインイン端子１９からプラグ２７が抜かれたことをステータス信号Ｃ１により検知すると（Ｎ４０）、スピーカアンプ５４への電源供給をオフする（状態Ｎ０に移行する）。あるいは、ＥＣ／ＫＢＣ４５は、状態Ｎ４において、バッテリ４７の残量がバッテリレベルＬ１より少ないことがバッテリレベル信号Ｃ６により検知すると（Ｎ４０）、スピーカアンプ５４への電源供給をオフする（状態Ｎ０に移行する）。
【手続補正８】
【補正対象書類名】明細書
【補正対象項目名】００９７
【補正方法】変更
【補正の内容】
【００９７】
また、ラインイン端子１９に内蔵されたスイッチ５２に代えて、独立したスイッチを設けて、ユーザの手動動作によってオン／オフを切り替えられるようにしても良い。このスイッチのオン／オフに応じたステータス信号Ｃ１がＥＣ／ＫＢＣ４５に入力される。ユーザは、オーディオプレーヤ２５をパーソナルコンピュータ１０に接続して使用する場合に、このスイッチをオンに切り替えることで、音声出力機能を有効にすることを要求できる。
【手続補正９】
【補正対象書類名】特許請求の範囲
【補正対象項目名】全文
【補正方法】変更
【補正の内容】
【特許請求の範囲】
【請求項１】
スピーカと、
外部機器からの音声信号を受信する端子と、
前記端子から受信された音声信号を増幅し、増幅された音声信号を前記スピーカに出力するアンプと、
バッテリと、
前記バッテリから前記アンプに対して電源供給するための電源回路と、
前記電子機器が非稼働状態にある時に、前記バッテリの残量と予め設定されたバッテリレベルとに基づいて、前記アンプに対して電源供給するように前記電源回路を制御するコントローラと
を具備したことを特徴とする電子機器。
【請求項２】
前記コントローラは、前記バッテリの残量が前記バッテリレベル以下となった場合に、前記アンプに対する電源供給を停止させる請求項１記載の電子機器。
【請求項３】
前記非稼働状態は第１の非稼働状態と第２の非稼働状態とを含み、
前記コントローラは、
前記第１の非稼働状態である場合には、前記バッテリの残量と第１のバッテリレベルとに基づいて電源供給するように前記電源回路を制御し、
前記第２の非稼働状態である場合には、前記バッテリの残量と前記第１のバッテリレベルとは異なる第２のバッテリレベルとに基づいて電源供給するように電源回路を制御することを特徴とする請求項１記載の電子機器。
【請求項４】
前記コントローラは、
前記第１の非稼働状態において、前記バッテリの残量が前記第１のバッテリレベル以下となった場合に、前記アンプに対する電源供給を停止させ、
前記第２の非稼働状態において、前記バッテリの残量が前記第２のバッテリレベル以下となった場合に、前記アンプに対する電源供給を停止させる請求項３記載の電子機器。
【請求項５】
前記非稼働状態にある時に前記スピーカからの音声出力を許可するか禁止にするかを示すデータを設定する設定手段をさらに具備し、
前記コントローラは、前記バッテリの残量、前記バッテリレベル、及び前記データに基づいて、前記アンプに電源供給するように前記電源回路を制御することを特徴とする請求項１記載の電子機器。
【請求項６】
前記バッテリレベルを変更するバッテリレベル変更手段をさらに具備したことを特徴とする請求項１記載の電子機器。
【請求項７】
前記バッテリの残量を通知する出力モジュールをさらに有することを特徴とする請求項１記載の電子機器。
【請求項８】
前記端子への前記外部機器の接続を検出する検出手段をさらに具備し、
前記コントローラは、前記外部機器が前記端子に接続されていない場合、前記アンプに対する電源供給を停止させるように前記電源回路を制御する請求項１記載の電子機器。
【請求項９】
前記電子機器はノートブック型コンピュータであって、
ディスプレイユニットと、
スピーカと前記ディスプレイユニットが予め決められた角度以上開閉されたか検出する検出手段とを含む本体と
を有する請求項１記載の電子機器。
【請求項１０】
電子機器が非稼働状態にある時に音声信号を増幅する方法であって、
非稼働状態において、前記電子機器の外部デバイスからの音声信号を受信する端子に、外部機器に接続されたプラグを接続し、
バッテリの残量が予め設定されたバッテリ残量より多いか、あるいは前記電子機器が外部電源に接続されてるいかを判別し、
前記バッテリの残量が予め設定されたバッテリレベルより多い、または前記電子機器が前記外部電源に接続されている場合に、前記端子から受信した音声信号を増幅し、増幅した音声信号をスピーカへ出力するアンプに電源供給する音声信号増幅方法。
【請求項１１】
さらに、アナログスイッチとスピーカに電源供給する請求項１０記載の音声信号増幅方法。
【請求項１２】
さらに、前記バッテリの残量が前記予め設定されたバッテリレベルより少なくなった場合に、前記アンプへの電源供給を停止する請求項１０記載の音声信号増幅方法。
【請求項１３】
前記非稼働状態は、予め設定された第１のバッテリレベルにある第１の非稼働状態と、前記第１のバッテリレベルと異なる予め設定された第２のバッテリレベルにある第２の非稼働状態を含む請求項１０記載の音声信号増幅方法。
【請求項１４】
さらに、前記第１の非稼働状態において、前記バッテリの残量が前記第１のバッテリレベルより少なくなった場合に前記アンプへの電源供給を停止し、前記第２の非稼働状態において、前記バッテリの残量が前記第２のバッテリレベルより少なくなった場合に前記アンプへの電源供給を停止する請求項１３記載の音声信号増幅方法。
【請求項１５】
前記バッテリの残量が前記予め設定されたバッテリレベルより多いか判別することは、電源供給回路からのバッテリレベル信号を受信するコントローラによって実行される請求項１０記載の音声信号増幅方法。
【請求項１６】
さらに、ディスプレイパネル開閉センサから開閉信号を受信する請求項１０記載の音声信号増幅方法。
【手続補正１０】
【補正対象書類名】図面
【補正対象項目名】図２
【補正方法】変更
【補正の内容】
【図２】
2011159043.tif 000013